(57)【特許請求の範囲】
【請求項１】
撮像素子と、撮像素子に対する開口部を覆う閉鎖位置及び開口部を開放する開放位置との間で移動可能な先羽根群及び後羽根群からなるシャッタと、撮影の際の被写体を確認するための光学ファインダと、光学ファインダへ被写体光を反射して導く反射位置と撮像素子へ被写体光を導く待避位置との間で可動に配置された反射ミラーと、撮像素子を介して得られた画像を表示すると共に前記画像を前記光学ファインダを介さずに確認し得る画像表示部と、
前記光学ファインダ及び画像表示部の一方を、撮影する際の被写体を確認するファインダとして機能させるべく選択するファインダ選択手段と、を備え、
前記ファインダ選択手段は、
ファインダとして前記光学ファインダが選択されたとき前記反射ミラーを前記反射位置に位置付け、かつ、ファインダとして前記画像表示部が選択されたとき前記反射ミラーを前記待避位置に位置付けるミラー駆動手段と、
ファインダとして前記画像表示部が選択されたとき、前記シャッタを前記開放位置に位置付けるシャッタ駆動手段とを有し、
前記シャッタ駆動手段は、
前記ファインダ選択手段により前記光学ファインダ及び画像表示部の一方が選択される前の状態において、前記先羽根群を前記開放位置に位置付けると共に前記後羽根群を前記閉鎖位置に位置付け、
ファインダとして前記画像表示部が選択されたとき前記後羽根群を前記開放位置に位置付け、
レリーズ動作により、前記先羽根群を前記閉鎖位置に移動させた後に前記開放位置に移動させ、その後前記後羽根群を閉鎖位置に移動させる、
ことを特徴とする電子カメラ。
【請求項２】
前記ミラー駆動手段は、前記反射ミラーの一部に一端が係合した状態で揺動自在に配置された第１揺動レバーと、前記第１揺動レバーの他端と係合しかつ回転駆動により前記反射ミラーを前記反射位置及び待避位置との間で移動させるカム高さをもつ第１カム部材と、を有し、
前記シャッタ駆動手段は、前記シャッタの先羽根群及び後羽根群を駆動する駆動レバーと、前記シャッタの先羽根群及び後羽根群のシャッタチャージをセットするべく前記駆動レバーに係合し得るように回動自在に配置されたセットレバーと、前記セットレバーの一部に一端が係合した状態で揺動自在に配置された第２揺動レバーと、前記第２揺動レバーの他端と係合しかつ回転駆動により前記シャッタチャージをセットするセット位置と前記シャッタチャージを解除可能な解除位置との間で前記セットレバーを回動させるカム高さをもつ第２カム部材と、を有する、
ことを特徴とする請求項１に記載の電子カメラ。
【請求項３】
前記駆動レバーは、前記後羽根群を閉鎖位置に移動させるように付勢された後羽根駆動レバーと、前記先羽根群を閉鎖位置に移動させるように付勢された第１先羽根駆動レバーと、前記第１先羽根駆動レバーに係合して前記先羽根群を開放位置に移動させるように付勢された第２先羽根駆動レバーと、を有し、
前記セットレバーは、シャッタチャージのセット時に、前記後羽根駆動レバー及び第２先羽根駆動レバーを前記セット位置に移動させ、かつ、前記先羽根群を開放位置に位置付けるべく前記第１先羽根駆動レバーの移動を規制するように、前記後羽根駆動レバー、第１先羽根駆動レバー及び第２先羽根駆動レバーのそれぞれに係合し得る係合部を有する、
ことを特徴とする請求項２に記載の電子カメラ。
【請求項４】
前記第１カム部材及び第２カム部材は、２つの歯車にそれぞれ一体的に形成されており、
前記２つの歯車は、一つの駆動モータにより連動して駆動される、
ことを特徴とする請求項２又は３に記載のカメラ装置。
【請求項５】
前記駆動モータは、選択されたファインダに応じて、レリーズ後における回転方向が切り替えられる、
ことを特徴とする請求項４に記載の電子カメラ。
【発明の詳細な説明】
【０００１】
【発明の属する技術分野】
本発明は、被写体の情報を、ＣＣＤ等の撮像素子を用いて電気信号に変換することにより撮影する電子カメラに関し、特に、撮影の際に被写体を確認するためのファインダとしての機能、撮影した画像をその後表示するモニタとしての機能を備えた電子カメラに関する。
【０００２】
【従来の技術】
従来の一眼レフタイプの電子カメラとしては、撮影に際して被写体を確認（フレーミング等）するための光学ファインダ、撮影後の画像を確認するために表示させる液晶モニタ等を備えたものが知られている。
この電子カメラにおいては、撮影を行なう場合、先ず、ファインダとしての機能をなす光学ファインダで被写体を確認して、種々の条件設定を行なう。そして、撮影の段階になると、反射ミラーが待避位置に移動させられて撮像素子への被写体光の光路が確保され、シャッタが作動して撮像素子に対する遮光及び露光動作を及ぼし、被写体が撮像素子に撮像される。
その後、撮影した画像をモニタとしの機能をなす液晶モニタにより表示させることで、その撮影した画像を即座に確認することができるようになっていた。
【０００３】
また、他の電子カメラとしては、液晶モニタのみで光学ファインダを備えておらず、この液晶モニタを、撮影の際に被写体を確認するファインダとして機能させると共に、撮影後の撮影画像を確認するために表示させるモニタとしても機能させるものが知られている。
この電子カメラにおいては、ファインダとして機能させる場合及びモニタとして機能させる場合のいずれにおいても、電力を必要とするものであった。
【０００４】
【発明が解決しようとする課題】
ところで、上記光学ファインダと液晶モニタとを備えた一眼レフタイプの電子カメラにおいては、撮影の際の被写体を確認する場合、常に光学ファインダだけでしか行なうことができず、撮影者の目線の位置に光学ファインダの位置を合わせることが困難な状態の場合、例えば、手を伸ばして高い位置から撮影するような場合、光学ファインダを覗き込むことができず、よって撮影し難いという問題があった。
【０００５】
また、上記液晶モニタのみを備えた電子カメラにおいては、電源の電圧が低下すなわち電池あるいはバッテリの残量が少なくなった場合、この残りの電力が、液晶モニタをファインダとして機能させるために消費されて、本来の撮影を行なうことができなくなるという問題があった。
【０００６】
本発明は、上記従来技術の問題点に鑑みて成されたものであり、その目的とするところは、構造の複雑化を招くことなく、被写体を確認するファインダ機能として光学式あるいは映像（画像表示）式のいずれかを選択できるようにして、撮影の際の取り扱い性、利便性等を向上させることのできる一眼レフタイプの電子カメラを提供することにある。
また、電源電圧が低下した場合でもできるだけ撮影を可能にし、さらに、シャッタによる露出時間の安定化、高速化等を図ることのできる一眼レフタイプの電子カメラを提供することにある。
【０００７】
【課題を解決するための手段】
本発明の電子カメラは、撮像素子と、撮像素子に対する開口部を覆う閉鎖位置及び開口部を開放する開放位置との間で移動可能な先羽根群及び後羽根群からなるシャッタと、撮影の際の被写体を確認するための光学ファインダと、光学ファインダへ被写体光を反射して導く反射位置と撮像素子へ被写体光を導く待避位置との間で可動に配置された反射ミラーと、撮像素子を介して得られた画像を表示すると共にその画像を光学ファインダを介さずに確認し得る画像表示部と、上記光学ファインダ及び画像表示部の一方を、撮影する際の被写体を確認するファインダとして機能させるべく選択するファインダ選択手段とを備え、ファインダ選択手段は、ファインダとして光学ファインダが選択されたとき反射ミラーを反射位置に位置付け、かつ、ファインダとして画像表示部が選択されたとき反射ミラーを待避位置に位置付けるミラー駆動手段と、ファインダとして画像表示部が選択されたとき、シャッタを開放位置に位置付けるシャッタ駆動手段とを有し、シャッタ駆動手段は、ファインダ選択手段により光学ファインダ及び画像表示部の一方が選択される前の状態において先羽根群を開放位置に位置付けると共に後羽根群を閉鎖位置に位置付け、ファインダとして画像表示部が選択されたとき後羽根群を開放位置に位置付け、レリーズ動作により、先羽根群を閉鎖位置に移動させた後に開放位置に移動させ、その後後羽根群を閉鎖位置に移動させる、ことを特徴としている。
上記構成によれば、ファインダ選択手段により、ファインダとして光学ファインダが選択されると、この光学ファインダから被写体を確認することができる。尚、撮影するときは、反射ミラーが待避位置に移動して撮像素子へ被写体光が導かれ、撮像素子による撮像が行なわれる。
一方、ファインダ選択手段により、ファインダとして画像表示部が選択されると、この画像表示部に表示された画像として被写体を確認することができる。尚、撮影するときは、反射ミラーが待避位置にそのまま保持されて、撮像素子による撮像が行なわれる。
具体的には、ファインダとして光学ファインダが選択されたとき、ミラー駆動手段が作動して反射ミラーを反射位置に位置付けるため、光学ファインダを通して被写体を確認することができ、一方、ファインダとして画像表示部が選択されたとき、ミラー駆動手段が作動して反射ミラーを反射位置に位置付けると共にシャッタ駆動手段が作動してシャッタの後羽根群を開放位置に位置付けるため、撮像素子を介して画像表示部に被写体の画像が表示され、この画像を確認することができる。
さらに、ファインダとして画像表示部が選択された状態から、レリーズ動作が行われると、先ず先羽根群が閉鎖位置に移動した後に開放位置に移動し、その後後羽根群が閉鎖位置に移動して露光動作が完了するため、シャッタ（先羽根群及び後羽根群）の簡単な動作にて、撮影タイミングを逃すことなく素早く撮影を行うことができ、シャッタによる露出時間の安定化、高速化を達成することができる。
【０００９】
上記構成において、ミラー駆動手段が、反射ミラーの一部に一端が係合した状態で揺動自在に配置された第１揺動レバーと、この第１揺動レバーの他端と係合しかつ回転駆動により反射ミラーを反射位置及び待避位置との間で移動させるカム高さをもつ第１カム部材とを有し、シャッタ駆動手段が、シャッタの先羽根群及び後羽根群を駆動する駆動レバーと、シャッタの先羽根群及び後羽根群のシャッタチャージをセットするべく駆動レバーに係合し得るように回動自在に配置されたセットレバーと、このセットレバーの一部に一端が係合した状態で揺動自在に配置された第２揺動レバーと、この第２揺動レバーの他端と係合しかつ回転駆動によりシャッタチャージをセットするセット位置とシャッタチャージを解除可能な解除位置との間でセットレバーを回動させるカム高さをもつ第２カム部材とを有する、構成を採用することができる。
上記構成によれば、第１カム部材が回転して、第１揺動レバーが一方向に揺動すると反射ミラーが待避位置に移動させられ、第１揺動レバーが他方向に揺動すると反射ミラーが反射位置に移動させられる。
また、第２カム部材が回転して、第２揺動レバーが一方向に揺動すると、セットレバーがセット位置に向けて回転させられ、駆動レバーがシャッタの先羽根群及び後羽根群のシャッタチャージをセットする。一方、第２揺動レバーが他方向に揺動すると、セットレバーが解除位置に向けて回転させられ、シャッタチャージの解除が可能な状態となる。
【００１０】
上記構成において、駆動レバーが、後羽根群を閉鎖位置に移動させるように付勢された後羽根駆動レバーと、先羽根群を閉鎖位置に移動させるように付勢された第１先羽根駆動レバーと、この第１先羽根駆動レバーに係合して先羽根群を開放位置に移動させるように付勢された第２先羽根駆動レバーとからなり、セットレバーが、シャッタチャージのセット時に、後羽根駆動レバー及び第２先羽根駆動レバーをセット位置に移動させ、かつ、先羽根群を開放位置に位置付けるべく第１先羽根駆動レバーの移動を規制するように、後羽根駆動レバー、第１先羽根駆動レバー及び第２先羽根駆動レバーのそれぞれに係合し得る係合部を有する、構成を採用することができる。
上記構成によれば、セット動作により、後羽根駆動レバーが、付勢力に抗して移動することにより後羽根群を開放位置に位置付け、又、第２先羽根駆動レバーが、付勢力に抗して移動する。これにより、露光動作のためのシャッタチャージ（エネルギ蓄積）が完了する。一方、第１先羽根駆動レバーは、セットレバーによりその移動が規制されて、先羽根群は開放位置にそのまま保持される。
これにより、撮像素子へ被写体光が入射し、撮像された画像を、画像表示部に表示することができ、画像表示部がファインダとして機能することになる。
【００１１】
上記構成において、ミラー駆動手段を構成する１カム部材及びシャッタ駆動手段を構成する第２カム部材を、２つの歯車にそれぞれ一体的に形成し、この２つの歯車を、一つの駆動モータにより連動して駆動させる、構成を採用することができる。
上記構成によれば、一つの駆動源により、ミラー駆動手段及びシャッタ駆動手段が駆動されるため、構造を簡略化でき、又、部品点数の削減による低コスト化が行なえる。さらに、第１カム部材と第２カム部材とが連動しているため、反射ミラーとシャッタ（先羽根群及び後羽根群）とを、所望のタイミングで、かつ、両者間にずれを生じることなく確実に駆動させることができる。
【００１２】
上記構成において、駆動モータは、選択されたファインダに応じて、レリーズ後における回転方向が切り替えられる、構成を採用することができる。
上記構成によれば、第１カム部材及び第２カム部材を採用するが故に、レリーズ後の作動に要する時間等を短縮することができる。
【００１３】
【発明の実施の形態】
以下、本発明の実施の形態について、添付図面を参照しつつ説明する。図１ないし図１０は、本発明に係る電子カメラの一実施形態を示すものであり、図１ないし図３はその内部構造を示す側面図、図４はその内部構造を示す正面図、図５及び図６はシャッタを駆動するシャッタ駆動手段の一部を示す正面図、図７ないし図１０はシャッタの動作状態を示す正面図である。尚、図７ないし図１０においては、説明の便宜上、その一部において、点線で示すべき隠れ線を実線にて又実線にて示すべきところを点線にて表している。
【００１４】
この実施形態に係る電子カメラは、図１ないし図４に示すように、撮影レンズ（不図示）と対向する最奥部に配置された撮像素子（ＣＣＤ）１０と、この撮像素子１０に対する遮光及び露光動作を行なうための先羽根群２１及び後羽根群２２等からなるシャッタ２０と、撮影の際の被写体を確認するための光学ファインダ３０と、光学ファインダ３０へ被写体光Ｌを反射して導く反射位置と撮像素子１０へ被写体光Ｌを導く待避位置との間で可動に配置された反射ミラー４０と、撮像素子１０を介して得られた画像を表示する画像表示部（ＬＣＤ）５０（図２参照）等を、その基本構成として備えている。
【００１５】
また、この電子カメラは、上記反射ミラー４０を駆動するミラー駆動手段、シャッタ２０を駆動するシャッタ駆動手段、撮影する際の被写体を確認するファインダとして機能させるべく、光学ファインダ３０及び画像表示部５０の一方を選択するファインダ選択手段、さらに、種々の信号処理を行なう信号処理部及び種々の制御を司る制御部（ＣＰＵ）等を備えている。
尚、ここでは、撮影に先立って（撮影の際に）フレーミング等のために被写体を確認するために適用する機能をファインダとしての機能（ファインダ機能）と称し、撮影後において撮影画像を確認するために適用する機能をモニタとしての機能（モニタ機能）と称する。
【００１６】
ところで、上記光学ファインダ３０は、図１に示すように、撮影者が直接覗き込む接眼レンズ３１、被写体光Ｌの光路において、この接眼レンズ３１の上流側に配置された凹レンズ３２、反射ミラー４０により反射された被写体光Ｌを反射してその方向を変えるプリズム３３等を備えている。
【００１７】
シャッタ２０を構成する先羽根群２１及び後羽根群２２は、図１ないし図３に示すように、被写体光Ｌの光路において撮像素子１０よりも上流側に配置されて、撮像素子１０に対する遮光及び露光動作を行なうようになっている。
すなわち、開口部１０１ａを画定するベースプレート１０１、同様に開口部を画定する中間プレート（不図示）、同様に開口部１０２ａを画定する補助プレート１０２が、被写体光Ｌの光路方向において順次に離隔して配置されている。
そして、ベースプレート１０１と中間プレートとの間には、先羽根群２１が配置されており、この先羽根群２１は、開口部１０１ａ，１０２ａの下方の位置にて重なり、上方へ向けて展開し開口部を覆うようになっている。
また、中間プレートと補助プレート１０２との間には、後羽根群２２が配置されており、この後羽根群２２は、開口部１０１ａ，１０２ａの上方の位置にて重なり、下方へ向けて展開し開口部を覆うようになっている。
【００１８】
反射ミラー４０は、図１ないし図４に示すように、ベースプレート１０１に取り付けられた枢軸部４１と、被写体光を反射するミラー部４２と、このミラー部４２を保持するフレーム４３と、このフレーム４３に一体的に設けられて水平方向に突出する係合ピン４４等により構成されている。
そして、図１に示すように、被写体光Ｌの進行方向に対して略４５°に傾斜
した状態で、進入した被写体光Ｌを反射して光学ファインダ３０へ導く反射位置と、図２及び図３に示すように、被写体光Ｌの進行方向に略平行で撮像素子１０へ被写体光Ｌを導く待避位置との間を、枢軸部４１回りに揺動自在となっている。尚、上記反射ミラー４０は、枢軸部４１の位置に配置された捩りスプリング（不図示）により、常時反射位置に向けてすなわち下向きに回動するように付勢されている。
【００１９】
ミラー駆動手段は、装置の外部に設けられたファインダ選択ボタン（不図示）等からのファインダの選択指令信号に応じて、制御部を介して起動される駆動モータ６０と、この駆動モータ６０により駆動される歯車列７０と、この歯車列７０の一つの歯車７４に一体的に形成されて反射ミラー４０の反射位置及び待避位置に対応するカム高さをもつ第１カム部材としてのミラーアップカム８１と、このミラーアップカム８１に対して第１端部（他端）９１が係合し第２端部（一端）９２が反射ミラー４０の係合ピン４４に係合する第１揺動レバーとしてのミラーアップレバー９０等を備えている。
【００２０】
このミラー駆動手段は、図１及び図４に示すように、ベースプレート１０１の面に対して略直交する方向に面をもつ支持プレート１０３及び押えプレート１０４の領域に、配置されている。
すなわち、図４に示すように、駆動モータ６０が押えプレート１０４に固定され、そのスピンドル６１が支持プレート１０３と押えプレート１０４との間の空間に突出し、このスピンドル６１に対して駆動歯車６２が固着されている。
【００２１】
この駆動歯車６２には、支軸７１ａの回りに回動自在に配置された第１歯車７１が噛合され、この第１歯車７１には、支軸７２ａの回りに回動自在に配置された第２歯車７２が噛合されている。また、この第２歯車７２には、支軸７３ａの回りに回動自在に配置された第３歯車７３が噛合され、さらに、この第３歯車７３には、支軸７４ａの回りに回動自在に配置された第４歯車７４が噛合されている。これら第１歯車７１、第２歯車７２、第３歯車７３、及び第４歯車７４から成る歯車列７０は、支持プレート１０３と押えプレート１０４との間において、回動自在に支持されている。
【００２２】
上記第４歯車７４には、その側面において一体的にミラーアップカム（第１カム部材）８１が形成されている。このミラーアップカム８１は、支軸７４ａの近傍においてカム高さが最も低い基礎面部８１ａと、この基礎面部８１ａに連続して徐々にカム高さが増加していく遷移面部８１ｂと、さらにこの遷移面部８１ｂに連続すると共に所定の範囲に亘って一定の最も高いカム高さをもつ最大リフト面部８１ｃとを備えた対称カムの形状に形成されている。すなわち、ミラーアップカム８１の最大リフト面部８１ｃが、反射ミラー４０の反射位置に対応し、ミラーアップカム８１の基礎面部８１ａが、反射ミラー４０の待避位置に対応するようになっている。
【００２３】
また、支持プレート１０３と押えプレート１０４との間には、ミラーアップレバー（第１揺動レバー）９０が、支持軸１００の回りに揺動自在に配置されており、又、支持軸１００の回りに配置された捩りスプリング（不図示）により、時計回りに回転するように付勢されている。
このミラーアップレバー９０は、その第１端部（他端）９１が、第４歯車７４に形成されたミラーアップカム８１に上方から係合させられ、又、その第２端部（一端）９２が、反射ミラー４０の係合ピン４４に下方から係合させられている。すなわち、図１に示すように、ミラーアップレバー９０の第１端部９１が、ミラーアップカム８１の最大リフト面部８１ｃに係合した状態にあるとき、反射ミラー４０は、光学ファインダ３０へ向けて被写体光を反射し得る反射位置に、位置している。
【００２４】
この反射位置に位置する状態から、駆動モータ６０が例えば正転（図１中反時計回りに回転）させられると、第４歯車７４も反時計回りに回転する。そして、この第４歯車７４が略９０°回転すると、図２に示すように、ミラーアップレ
バー９０の第１端部９１は、ミラーアップカム８１の遷移面部８１ｂを経由して基礎面部８１ａに係合し、ミラーアップレバー９０は時計回りに回転して、その第２端部９２が係合ピン４４を上方に向けて押し上げる。これにより、反射ミラー４０は上方に向けて揺動させられ、略水平となる待避位置に位置付けられる。
反射ミラー４０が待避位置に位置することで、被写体光Ｌは、反射ミラー４０に遮られることなく、直接撮像素子１０に向かって直進することになる。この状態において、画像表示部５０をファインダとして、撮像素子１０を介して得られた被写体の画像を確認することができる。
尚、図１に示す状態からレリーズされるときは、駆動モータ６０は逆転させられる。
【００２５】
また、図２に示す状態から、駆動モータ６０がさらに正転（図２中反時計回りに回転）させられ、第４歯車７４が反時計回りに略８０°回転すると、その第１端部９１にはミラーアップカム８１の基礎面部８１ａが作用し続けているため、ミラーアップレバー９０は揺動することなく反射ミラー４０を待避位置に保持することになる。尚、図３は、レリーズ直後に、先羽根群２１が画枠１０１ａを覆った状態を示している。
【００２６】
また、図３に示す状態から、さらに駆動モータ６０が正転（図３中反時計回りに回転）させられると、第４歯車７４も反時計回りにさらに回転する。そして、再び、図１に示すように、ミラーアップレバー９０の第１端部９１が、ミラーアップカム８１の遷移面部８１ｂを経由して最大リフト面部８１ｃに係合し、ミラーアップレバー９０は反時計回りに回転して、その第２端部９２も下方に移動する。そして、反射ミラー４０は、その係合ピン４４が第２端部９２に係合した状態で付勢スプリングにより下向きに押し付けられる。これにより、反射ミラー４０は下方に向けて揺動させられ、略４５°傾斜した反射位置に位置付けられることになる。反射ミラー４０が反射位置に位置することで、被写体光Ｌは、この反射ミラー４０により反射されて、光学ファインダ３０に被写体光Ｌを導くことになる。
【００２７】
上記駆動モータ６０、第１歯車７１、第２歯車７２、第３歯車７３、及び第４歯車７４からなる歯車列７０、第４歯車７４に一体的に形成されたミラーアップカム（第１カム部材）８１、ミラーアップレバー（第１揺動レバー）９０等により、ファインダとして光学ファインダ３０が選択されたとき反射ミラー４０をその反射位置に位置付け、ファインダとして画像表示部５０が選択されたとき反射ミラー４０をその待避位置に位置付けるミラー駆動手段が構成されている。
【００２８】
シャッタ駆動手段は、上記駆動モータ６０と、この駆動モータ６０により駆動される歯車列７０´（第１歯車７１、第２歯車７２、及び第３歯車７３）と、先羽根群２１を駆動する第１先羽根駆動レバー１５０及び第２先羽根駆動レバー１３０、後羽根群２２を駆動する後羽根駆動レバー１４０、先羽根群２１及び後羽根群２２のシャッタチャージをセットするべく上記第２先羽根駆動レバー１３０及び後羽根駆動レバー１４０に係合し得るように回動自在に配置されたセットレバー１２０、セットレバー１２０の一部に第１端部（一端）１１２が係合した状態で揺動自在に配置された第２揺動レバーとしてのチャージレバー１１０、このチャージレバー１１０の第２端部（他端）１１１と係合してシャッタチャージをセットするセット位置とシャッタチャージを解除可能な解除位置との間でセットレバー１２０を回動させるカム高さをもつ第２カム部材としてのチャージカム８２等を備えている。
【００２９】
このシャッタ駆動手段は、図１及び図４、並びに図５ないし図１０に示すように、支持プレート１０３と押えプレート１０４との領域及びベースプレート１０１の前面側及び背面側に配置されている。
すなわち、支持プレート１０３及び押えプレート１０４の領域に配置された第３歯車７３には、その側面において一体的にチャージカム（第２カム部部）８２が形成されている。このチャージカム８２は、支軸７３ａの近傍においてカム高さが最も低い基礎面部８２ａと、この基礎面部８２ａに連続して徐々にカム高さが増加していく遷移面部８２ｂと、さらにこの遷移面部８１ｂに連続すると共に所定の範囲に亘って一定の最も高いカム高さをもつ最大リフト面部８２ｃとを備えた略ハート型の対称カムの形状に形成されている。
上記チャージカム８２の最大リフト面部８２ｃが、シャッタ２０（先羽根群２１及び後羽根群２２）のチャージを完了する位置、つまり、シャッタ２０が画枠１０１ａ，１０２ａを開放する位置に対応し、チャージカム８２の基礎面部８２ａが、シャッタ２０（先羽根群２１及び後羽根群２２）のチャージを解除し得る位置、つまり、シャッタ２０が撮像素子１０に対して遮光及び露光動作を行なえる位置に対応するようになっている。
【００３０】
また、支持プレート１０３と押えプレート１０４との間には、チャージレバー（第２揺動レバー）１１０が、支持軸１００の回りに揺動自在に配置されている。そして、この支持軸１００の回りに配置された捩りスプリング（不図示）により、チャージレバー１１０は、時計回りに回転するように付勢されている。このチャージレバー１１０は、その第２端部１１１が、第３歯車７３に形成されたチャージカム（第２カム部材）８２に上方から係合させられ、又、その第１端部１１２が、セットレバー１２０の突起部（一部）１２１に上方から係合させられている。
【００３１】
すなわち、図１に示すように、チャージレバー１１０の第２端部１１１が、チャージカム８２の最大リフト面部８２ｃに係合した状態にあるとき、図５（ｂ）に示すように、セットレバー１２０は時計回りに回転させられて、シャッタ２０を開放位置に位置付ける。尚、このとき、反射ミラー４０は、反射位置に位置付けられている。
【００３２】
この状態から、駆動モータ６０が例えば逆転（図１中において時計回りに回転）させられると、第３歯車７３（チャージカム８２）が略８０°反時計回りに回転したところで、図３に示すように、チャージレバー１１０の第２端部１１１はチャージカム８２の遷移面部８２ｂを経由して基礎面部８２ａに係合し、チャージレバー１１０は時計回りに回転して、その第１端部１１２は上方に移動し、セットレバー１２０はその突起部１２１が上昇する方向に逆回転して、シャッタ２０の遮光及び露光動作を許容する（シャッタチャージを解除可能な）状態となる。
【００３３】
上記セットレバー１２０は、ベースプレート１０１の前面において、支持軸１２０ａの回りに回動自在に配置されており、この支持軸１２０ａの領域に配置された捩りスプリング（不図示）により、図４中の反時計回りに回転するように付勢されて、その突起部１２１がチャージレバー１１０の第１端部１１２に対して、下側から常時係合するようになっている。
このセットレバー１２０は、図５（ａ）に示すように、前方へ向かう突起部１２１が一体的に形成されると共に湾曲をなす第１係合部１２２ａ及び第２係合部１２２ｂを同一平面にもつ前面部１２２と、この前面部１２２の背後に一体的に形成されると共に円弧状部１２３ａ及び逃げ部１２３ｂを同一平面にもつ規制部１２３等により形成されている。
【００３４】
また、このセットレバー１２０の上下斜め近傍の領域には、図５及び図６に示すように、第２先羽根駆動レバー１３０、後羽根駆動レバー１４０、第１先羽根駆動レバー１５０等が配置されている。
この第２先羽根駆動レバー１３０は、図５及び図６に示すように、ベースプレート１０１の前面でかつセットでバー１２０の斜め下方領域において、支持軸１３０ａの回りに回動自在に配置されており、この支持軸１３０ａの領域に配置された捩りスプリング（不図示）により、図５中の時計回りに回転するように付勢されている。また、この第２先羽根駆動レバー１３０は、セットレバー１２０の第１係合部１２２ａと係合し得る第１係合部１３１と、第１先羽根駆動レバー１５０の一部（第２係合部１５２）と係合し得る第２係合部１３２と、磁力に引寄せられる鉄片部１３３等により形成されている。
【００３５】
後羽根駆動レバー１４０は、図５及び図６に示すように、ベースプレート１０１の前面でかつセットレバー１２０の斜め上方領域において、支持軸１４０ａの回りに回動自在に配置されており、この支持軸１４０ａの領域に配置された捩りスプリング（不図示）により、図５中の時計回りに回転するように付勢されている。また、この後羽根駆動レバー１４０は、セットレバー１２０の第２係合部１２２ｂと係合し得る第１係合部１４１と、湾曲案内溝１０１ｃを通して後方に伸びて後羽根群２２の一部に係合する第２係合部１４２と、磁力に引寄せられる鉄片部１４３等により形成されている。
【００３６】
第１先羽根駆動レバー１５０は、図５及び図６に示すように、ベースプレート１０１の前面でかつ第２先羽根駆動レバー１３０の背後において、同様に支持軸１３０ａの回りに回動自在に配置されており、この支持軸１３０ａの領域に配置された捩りスプリング（不図示）により、図５中の反時計回りに回転するように付勢されている。また、この第１先羽根駆動レバー１５０は、セットレバー１２０の規制部１２３（円弧状部１２３ａ）と係合し得る第１係合部１５１と、第２先羽根駆動レバー１３０の第２係合部１３２と係合し得る第２係合部１５２と、湾曲案内溝１０１ｂを通して後方に伸び先羽根群２１の一部に係合する第３係合部１５３等により形成されている。
【００３７】
上記第１先羽根駆動レバー１５０、第２先羽根駆動レバー１３０、後羽根駆動レバー１４０、セットレバー１２０、チャージレバー１１０、チャージカム８２等により、ファインダとして画像表示部５０が選択されたとき、シャッタ２０の先羽根群２１及び後羽根群２２を開放位置に位置付けるシャッタ駆動手段が構成されている。
また、前述のミラー駆動手段、シャッタ駆動手段、撮影者が操作できる外部のファインダ選択ボタン（不図示）等により、光学ファインダ３０及び画像表示部５０の一方を、撮影する際の被写体を確認するファインダとして機能させるべく選択するファインダ選択手段が構成されている。
【００３８】
シャッタ２０を構成する先羽根群２１は、図７ないし図１０に示すように、ベースプレート１０１の背面側に配置された４枚の先羽根２１ａ，２１ｂ，２１ｃ，２１ｄと、これらの先羽根を回動自在にリンクする２本のリンク部材２１ｅ，２１ｆ等により構成されている。
そして、このリンク部材２１ｅの一端部２１ｅ´は、ベースプレート１０１に設けられた支持軸１３０ａの回りに回動自在に配置され、又、リンク部材２１ｆの一端部２１ｆ´は、ベースプレート１０１に設けられた枢軸２１ｇの回りに回動自在に配置されている。
また、上記リンク部材２１ｅには、第１先羽根駆動レバー１５０の第３係合部１５３が係合されている。したがって、先羽根群２１は、第１先羽根駆動レバー１５０の回動動作に連動して、開口部１０１ａを閉鎖する閉鎖位置と、開口部１０１ａを開放する開放位置との間を、往復動自在に移動させられるようになっている。
【００３９】
シャッタ２０を構成する後羽根群２２は、図７ないし図１０に示すように、ベースプレート１０１の背面側に配置された４枚の先羽根２２ａ，２２ｂ，２２ｃ，２２ｄと、これらの後羽根を回動自在にリンクする２本のリンク部材２２ｅ，２２ｆ等により構成されている。
そして、このリンク部材２２ｅの一端部２２ｅ´は、ベースプレート１０１に設けられた支持軸１４０ａの回りに回動自在に配置され、又、リンク部材２２ｆの一端部２２ｆ´は、ベースプレート１０１に設けられた枢軸２２ｇの回りに回動自在に配置されている。
また、上記リンク部材２２ｅには、後羽根駆動レバー１４０の第２係合部１４２が係合されている。したがって、後羽根群２２は、後羽根駆動レバー１４０の回動動作に連動して、開口部１０１ａを閉鎖する閉鎖位置と、開口部１０１ａを開放する開放位置との間を、往復動自在に移動させられるようになっている。
【００４０】
一方、ベースプレート１０１の前方側に配置された上記セットレバー１２０、第２先羽根駆動レバー１３０、後羽根駆動レバー１４０、及び第１先羽根駆動レバー１５０の前方には、図４に示すように、ベースプレート１０１と平行に回路基板１０５が配置されている。そして、この回路基板１０５とベースプレート１０１とにより、支持軸１２０ａ，１３０ａ，１４０ａ等が保持されている。
【００４１】
また、この回路基板１０５の背面には、先羽根用電磁石１６０及び後羽根用電磁石１７０が取り付けられている。これら先羽根用電磁石１６０及び後羽根用電磁石１７０は、図６（ａ）に示すように、それぞれ鉄芯１６０ａ，１７０ａと、これら鉄芯１６０ａ，１７０ａの回りに巻回された電磁コイル１６０ｂ，１７０ｂ等により構成されている。
そして、これら電磁コイル１６０ｂ，１７０ｂが通電されることで、電磁力が発生して、これら先羽根用電磁石１６０及び後羽根用電磁石１７０は、第２先羽根駆動レバー１３０の鉄片部１３３、後羽根駆動レバー１４０の鉄片部１４３をそれぞれ吸着するようになっている。
【００４２】
上記セットレバー１２０、第２先羽根駆動レバー１３０、後羽根駆動レバー１４０、及び第１先羽根駆動レバー１５０の相互関係については、図５（ａ）に示すように、先ず、セットレバー１２０が、チャージレバー１１０により押し下げられていない休止位置（解除位置）にあるとき、第２先羽根駆動レバー１３０は捩りスプリングの付勢力により時計回りに回転させられて、図５（ａ）に示す休止位置（復帰位置）にある。
このとき、第１先羽根駆動レバー１５０は、その第２係合部１５２が第２先羽根駆動レバー１３０の第２係合部１３２により押されることになる。したがって、捩りスプリングにより反時計回りに回転するように付勢される付勢力に抗して、この第１先羽根駆動レバー１５０は、第２先羽根駆動レバー１３０と共に時計回りに回転した休止位置に位置することになる。
【００４３】
すなわち、第２先羽根駆動レバー１３０を時計回りに付勢する捩りスプリングの付勢力が、第１先羽根駆動レバー１５０を反時計回りに付勢する捩りスプリングの付勢力よりも大きく設定されている。
また、後羽根駆動レバー１４０は、捩りスプリングの付勢力により時計回りに回転させられて、図５（ａ）に示す休止位置（復帰位置）にある。
この状態において、シャッタ２０（先羽根群２１及び後羽根群２２）は、図７に示すように、先羽根群２１が重なり合った露光位置に位置し、後羽根群２２が展開した閉鎖位置に位置している。すなわち、シャッタ２０のチャージ（エネルギ蓄積）をセットする前の状態（あるいは露光作動後の状態）に対応している。
【００４４】
続いて、セットレバー１２０が、チャージレバー１１０により押し下げられて、図５（ｂ）に示すように、時計回りに略９０°回転してセット位置に至るとき、その第１係合部１２２ａが第２先羽根駆動レバー１３０の第１係合部１３１に係合し、又、その第２係合部１２２ｂが後羽根駆動レバー１４０の第１係合部１４１に係合する。
そして、第２先羽根駆動レバー１３０は、捩りスプリングの付勢力に抗しつつ反時計回りに回転させられる。このとき、第１先羽根駆動レバー１５０は、その第２係合部１５２が第２先羽根駆動レバー１３０の第２係合部１３２から離脱し、捩りスプリングの付勢力により若干反時計回りに回転する。と同時に、第１先羽根駆動レバー１５０は、その第１係合部１５１がセットレバー１２０の規制部１２３（円弧状部１２３ａ）に係合して、反時計回りのそれ以上の回転が規制されることになる。また、後羽根駆動レバー１４０も、捩りスプリングの付勢力に抗しつつ反時計回りに回転させられる。
この状態において、シャッタ２０（先羽根群２１及び後羽根群２２）は、図８に示すように、先羽根群２１がそのまま重なり合った開放位置に位置し、後羽根群２２が重なり合った開放位置に位置している。すなわち、シャッタ２０のチャージをセットした後の状態に対応している。
【００４５】
続いて、レリーズ動作により、チャージレバー１１０によるセットレバー１２０の押し下げが解除されて、セットレバー１２０が、図６（ａ）に示すように、捩りスプリングの付勢力により、反時計回りに回転して復帰位置に戻り始める。この際に、先ず、先羽根用電磁石１６０及び後羽根用電磁石１７０がそれぞれ通電されて、先羽根用電磁石１６０が第２先羽根駆動レバー１３０の鉄片部１３３を吸着し、又、後羽根用電磁石１７０が後羽根駆動レバー１４０の鉄片部１４３を吸着する。
これにより、セットレバー１２０の第１係合部１２２ａ及び第２係合部１２２ｂが、第２先羽根駆動レバー１３０の第１係合部１３１及び後羽根駆動レバー１４０の第１係合部１４１から離脱しても、第２先羽根駆動レバー１３０及び後羽根駆動レバー１４０は、反時計回りに回転したその状態に保持される。
この状態において、シャッタ２０（先羽根群２１及び後羽根群２２）は、図９に示すように、先羽根群２１がそのまま重なり合った開放位置に位置し、後羽根群２２もそのまま重なり合った開放位置に位置している。すなわち、シャッタ２０のレリーズ直後の状態（セットレバー１２０が戻り動作を行なっている途中の状態）に対応している。
【００４６】
さらに続いて、セットレバー１２０が、捩りスプリングの付勢力により、図６（ｂ）に示すように、反時計回りに回転して休止位置（解除位置）に至ると、第１先羽根駆動レバー１５０の第１係合部１５１が、セットレバー１２０の規制部１２３から離脱する。これにより、第１先羽根駆動レバー１５０は、捩りスプリングの付勢力により反時計回りに回転し、その第２係合部１５２が第２先羽根駆動レバー１３０の第２係合部１３２に当接（係合）したところで、その回転が止まることになる。
この状態において、シャッタ２０（先羽根群２１及び後羽根群２２）は、図１０及び図３に示すように、先羽根群２１が画枠１０１ａを閉鎖するように展開した閉鎖位置に位置し、後羽根群２２はそのまま重なり合った開放位置に位置している。すなわち、シャッタ２０のレリーズ後、露光動作を行なう直前に撮像素子１０をリセット（初期化）した状態に対応している。
【００４７】
図１０に示す状態において、先羽根用電磁石１６０及び後羽根用電磁石１７０への通電が順次に断たれると、先ず、第２先羽根駆動レバー１３０が捩りスプリングの付勢力により時計回りに回転すると共に、第２先羽根駆動レバー１３０の第２係合部１３２が第１先羽根駆動レバー１５０の第２係合部１５２を押すことにより、第１先羽根駆動レバー１５０も、捩りスプリングの付勢力に抗して時計回りに回転する。これにより、先羽根群２１は、展開して開口部１０１ａを覆った閉鎖位置から開口部１０１ａの下側にて重なった開放位置に移動させられる。
続いて、所定の時間（露出時間ｔ）を空けて、後羽根駆動レバー１４０が、捩りスプリングの付勢力により時計回りに回転する。これにより、後羽根群２２は、画枠１０１ａの上側にて重なった開放位置から展開して、開口部１０１ａを覆う閉鎖位置に移動させられる。上記先羽根群２１及び後羽根群２２の動作により、撮像素子１０に対する露光動作が、高速かつ安定した状態で行なわれる。
【００４８】
次に、ファインダ選択手段により、ファインダ機能をなすものとして光学ファインダ３０が選択されている場合と、ファインダ機能をなすものとして画像表示部５０が選択されている場合とにおいて、図１１及び図１２を参照しつつそれぞれの動作を説明する。
図１１に示すように、先ず、ファインダ機能をなすものとして光学ファインダ３０が選択されている場合（画像表示部５０のファインダ機能としてのスイッチがＯＦＦの場合）、駆動モータ６０が正転させられると、図１に示すように、ミラーアップレバー９０はミラーアップカム８１（最大リフト面部８１ｃ）の作用により反時計回りに回転し、反射ミラー４０は反射位置に位置付けられる。
【００４９】
また、チャージレバー１１０は、チャージカム８２（最大リフト面部８２ｃ）の作用により反時計回りに回転し、セットレバー１２０を作動させてシャッタのチャージ動作が行なわれ、後羽根群２２が開放位置に移動して、開口部１０１ａが開放される。この状態において、光学ファインダ３０には反射ミラー４０を介して被写体光が導かれるため、撮影者はこの光学ファインダ３０の覗き込んで、フレーミング等を行なうことができる。
【００５０】
その後、レリーズされると、先羽根用電磁石１６０及び後羽根用電磁石１７０が通電されると共に、駆動モータ６０が逆転させられる。そして、チャージカム８２が略８０°逆回転（図１において反時計回りに回転）したところで、図３に示すように、チャージカム８２の基礎面部８２ａにチャージレバー１１０の第２端部１１１が入り込む。これにより、セットレバー１２０が休止位置（解除位置）に戻されると共に、第１先羽根駆動レバー１５０が、反時計回りに回転して先羽根群２１を展開させて開口部１０１ａを覆い、撮像素子１０のリセット（初期化）を行なう。
【００５１】
このように、駆動モータ６０を逆回転させることで、図１に示すように、チャージカム８２の右側の遷移面部８２ｂを経由した短い行程で、チャージレバー１１０の第２端部１１１が基礎面部８２ａに入り込むことができる。したがって、駆動モータ６０をそのまま正回転させる場合に比べて、レリーズに要する時間を短縮することができる。
【００５２】
その後、先羽根用電磁石１６０及び後羽根用電磁石１７０への通電が順次に断たれて、先ず、展開状態にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮像素子１０は被写体を撮像することになる。その後、画像表示部５０をモニタとして、撮影した画像を確認することができる。
【００５３】
この後、光学ファインダ３０がファインダとして選択された状態（画像表示部５０のファインダ機能としてのスイッチがＯＦＦの状態）で、再び駆動モータ６０が正転させられて、セットレバー１２０によるシャッタ２０のチャージ動作が行なわれ、ミラーアップレバー９０による反射ミラー４０の反射位置への位置付けが行なわれた段階において、ファインダとして画像表示部５０が選択されると（画像表示部５０のファインダ機能としてのスイッチがＯＮとされると）、駆動モータ６０は、図１に示す状態からさらに正転させられて図２に示す状態に至り、ミラーアップレバー９０が時計回りに回転して反射ミラー４０を待避位置に位置付ける。
【００５４】
これにより、被写体光は、反射ミラー４０により遮られることなく、開放された開口部１０１ａを通して撮像素子１０に進入する。したがって、この状態において、画像表示部５０には、撮像素子１０を介して写し出された被写体の画像が表示されることになる。この状態において、撮影者は、この画像表示部５０をファインダとして、表示された画像を見ることによりフレーミング等を行なうことができる。
【００５５】
その後、レリーズされると、先羽根用電磁石１６０及び後羽根用電磁石１７０が通電されると共に、駆動モータ６０がさらに正転させられる。そして、チャージカム８２が、図２に示す状態から略８０°正転（時計回りに回転）したところで、図３に示すように、チャージカム８２の基礎面部８２ａにチャージレバー１１０の第２端部１１１が入り込む。これにより、セットレバー１２０が解除位置に戻されると共に、第１先羽根駆動レバー１５０が、反時計回りに回転して先羽根群２１を展開させて開口部１０１ａを覆い、撮像素子１０のリセット（初期化）を行なう。
【００５６】
その後、先羽根用電磁石１６０及び後羽根用電磁石１７０への通電が順次に断たれて、先ず、展開状態にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮像素子１０は被写体を撮像することになる。その後、画像表示部５０をモニタとして、撮影した画像を確認することができる。
【００５７】
次に、図１２に示すように、ファインダ機能をなすものとして画像表示部５０が選択されている場合（画像表示部５０のファインダ機能としてのスイッチがＯＮの場合）、駆動モータ６０が正転させられると、図２に示すように、ミラーアップレバー９０は、ミラーアップカム８１（基礎面部８１ａ）の作用により時計回りに回転して反射ミラー４０を待避位置に位置付け、又、チャージレバー１１０は、チャージカム８２（最大リフト面部８２ｃ）の作用により反時計回りに回転して、セットレバー１２０によるシャッタ２０のチャージ動作が行なわれ、後羽根群２２が開放位置に移動して、開口部１０１ａが開放される。
【００５８】
これにより、被写体光は、反射ミラー４０により遮られることなく、開放された開口部１０１ａを通して撮像素子１０に進入する。したがって、この状態において、画像表示部５０には、撮像素子１０を介して写し出された被写体の画像が表示されることになる。この状態において、撮影者は、この画像表示部５０をファインダとして、表示された画像を見ることによりフレーミング等を行なうことができる。
【００５９】
その後、レリーズされると、先羽根用電磁石１６０及び後羽根用電磁石１７０が通電されると共に、駆動モータ６０がさらに正転（図２中の時計回りに回転）させられる。そして、チャージカム８２が略８０°回転したところで、図３に示すように、チャージカム８２の基礎面部８２ａにチャージレバー１１０の第２端部１１１が入り込む。これにより、セットレバー１２０が解除位置に戻されると共に、第１先羽根駆動レバー１５０が、反時計回りに回転して先羽根群２１を展開させて開口部１０１ａを覆い、撮像素子１０のリセット（初期化）を行なう。
【００６０】
その後、先羽根用電磁石１６０及び後羽根用電磁石１７０への通電が順次に断たれて、先ず、展開状態にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮像素子１０は被写体を撮像することになる。その後、画像表示部５０をモニタとして、撮影した画像を確認することができる。
【００６１】
この後、画像表示部５０がファインダとして選択された状態（画像表示部５０のファインダ機能としてのスイッチがＯＮの状態）で、再び駆動モータ６０が正転させられて、図２に示すように、セットレバー１２０によるシャッタ２０のチャージ動作が行なわれ、ミラーアップレバー９０による反射ミラー４０の待避位置への位置付けが行なわれた段階において、ファインダとして光学ファインダ３０が選択されると（画像表示部５０のファインダ機能としてのスイッチがＯＦＦとされると）、駆動モータ６０は、図２に示す状態から図１に示す状態まで逆転（図２において時計回りに回転）させられる。そして、ミラーアップレバー９０が反時計回りに回転して、正転させる場合に比べて短時間で反射ミラー４０を反射位置に位置付ける。この状態において、光学ファインダ３０には反射ミラー４０を介して被写体光が導かれるため、撮影者はこの光学ファインダ３０の覗き込んで、フレーミング等を行なうことができる。
【００６２】
その後、レリーズされると、先羽根用電磁石１６０及び後羽根用電磁石１７０が通電されると共に、駆動モータ６０はさらに逆転させられて、図３に示すように、セットレバー１２０が解除位置に戻されると共に、第１先羽根駆動レバー１５０が、反時計回りに回転して先羽根群２１を展開させて開口部１０１ａを覆い、撮像素子１０のリセット（初期化）を行なう。また、ミラーアップレバー９０が時計回りに回転して反射ミラー４０を待避位置に移動させる。
このレリーズの際にも、駆動モータ６０が逆転させられることにより、前述同様に、駆動モータ６０をそのまま正回転させる場合に比べて、レリーズに要する時間を短縮することができる。
【００６３】
その後、先羽根用電磁石１６０及び後羽根用電磁石１７０への通電が順次に断たれると、先ず、展開状態にある先羽根群２１が開口部１０１ａの下方（開放位置）に移動し、露出時間ｔをおいて、後羽根群２２が開口部１０１ａを覆うように展開して閉鎖位置に移動する。これら先羽根群２１及び後羽根群２２の露光動作により、撮像素子１０は被写体を撮像することになる。その後、画像表示部５０をモニタとして、撮影した画像を確認することができる。
【００６４】
次に、上記実施形態に係る電子カメラの制御動作について、図１３を参照しつつ説明する。先ず、撮影者がファインダ選択ボタンを操作して、光学ファインダ３０と画像表示部５０のいずれをファインダとして選択したか、すなわち、画像表示部５０のファインダ機能としてのスイッチがＯＮ（表示ＳＷ−ＯＮ）とされているか否かの判断が行なわれる（ステップＳ１）。
ここで、表示ＳＷ−ＯＮと判断されると、駆動モータ６０が正転させられ、その後、反射ミラー４０が待避位置（ミラーアップ状態）にあるか否か、すなわち、ミラーダウン検出値がローレベル（Ｌ）か否かが判断される（ステップＳ２）。そして、Ｌレベルと判断されるとステップＳ４に進み、Ｌレベルでないと判断されると、再度検出値の判断が行なわれる。
一方、ステップＳ１において、表示ＳＷ−ONでないと判断されると、駆動モータ６０が逆転させられて、反射ミラー４０が反射位置（ミラーダウン状態）にあるか否か、すなわち、ミラーダウン検出値がハイレベル（Ｈ）か否かが判断される（ステップＳ３）。そして、Ｈレベルと判断されるとステップＳ４に進み、Ｈレベルでないと判断されると、再度検出値の判断が行なわれる。
【００６５】
次に、レリーズされているか否か（レリーズＯＮか否か）が判断され（ステップＳ４）、レリーズＯＮでないと判断されると再びステップＳ１に戻る。一方、レリーズＯＮと判断されると、反射ミラー４０が待避位置（ミラーアップ状態）にあるか否か、すなわち、ミラーダウン検出値がローレベル（Ｌ）か否かが判断される（ステップＳ５）。ここで、Ｌレベルと判断されると、先羽根用電磁石１６０及び後羽根用電磁石１７０が共に通電され、さらに駆動モータ６０が正転させられる。一方、Ｌレベルでないと判断されると、先羽根用電磁石１６０及び後羽根用電磁石１７０が共に通電され、さらに駆動モータ６０が逆転させられる。
【００６６】
続いて、再び反射ミラー４０が待避位置（ミラーアップ状態）にあるか否か、すなわち、ミラーダウン検出値がローレベル（Ｌ）か否かが判断される（ステップＳ６）。ここで、Ｌレベルでないと判断されるとエラーとして処理される。一方、Ｌレベルと判断されると、続いてシャッタ２０がチャージされてセットレバー１２０が戻り状態にあるか否か、すなわち、チャージ検出値がローレベル（Ｌ）か否かが判断される（ステップＳ７）。ここで、Ｌレベルでないと判断されると、再びその判断が行なわれ、一方、Ｌレベルと判断されると、駆動モータ６０の駆動が停止される。
そして、第１先羽根駆動レバー１５０が移動して先羽根群２１を展開させて、撮像素子（ＣＣＤ）１０をリセット（初期化）する（ステップＳ８）。
【００６７】
その後、先羽根用電磁石１６０及び後羽根用電磁石１７０への通電が順次に断たれて、先羽根群２１及び後羽根群２２による露光動作が行なわれる。その後、撮像素子１０により撮影した画像が、画像表示部５０により表示され、ここで、この撮影画像を記録するか否かの判断が行なわれる（ステップＳ９）。
続いて、駆動モータ６０が正転させられて、再びセットレバー１２０によるシャッタチャージがセットされた（セット完了状態にある）か否か、すなわち、チャージ検出値がハイレベル（Ｈ）か否かの判断が行なわれる（ステップＳ１０）。そして、Ｈレベルでないと判断されると再びこの判断が行なわれ、Ｈレベルと判断されると、再び表示ＳＷ−ＯＮか否かの判断が行なわれる（ステップＳ１１）。ここで、表示ＳＷ−ＯＮでないと判断されると、駆動モータ６０の回転が停止させられる。
一方、表示ＳＷ−ＯＮと判断されると、反射ミラー４０が待避位置にあるか否か、すなわち、ミラーダウン検出値がローレベル（Ｌ）か否かの判断が行なわれる（ステップＳ１２）。そして、Ｌレベルでないと、判断されると再度検出値の判断が行なわれ、一方、Ｌレベルと判断されると、駆動モータ６０の回転が停止させられる。
【００６８】
以上述べた実施形態においては、先羽根群２１及び後羽根群２２を駆動する手段として、第１先羽根駆動レバー１５０、第２先羽根駆動レバー１３０、後羽根駆動レバー１４０、セットレバー１２０、チャージレバー１１０等を用いた構成において、本発明に係るファインダ選択手段を採用したが、これに限定されるものではなく、例えば、先羽根群２１及び後羽根群２２をそれぞれステップモータ等の電磁駆動源により直接駆動させるような構成において、本発明に係るファインダ選択手段を採用することも可能である。
また、上記の実施形態に係る電子カメラにおいては、シャッタ２０を先羽根群２１及び後羽根群２２により構成して、開口部１０１ａの開放及び閉鎖を行なうようにしているが、撮像素子１０の露光開始もしくは露光終了のいずれかを、撮像素子１０のオン・オフによる動作制御で行なうようにした電子カメラの場合には、シャッタを先羽根群もしくは後羽根群のいずれか一方により形成して、開口部の開放及び閉鎖を行なわせるようにしたものでも、勿論本発明を適用することができる。
【００６９】
【発明の効果】
以上述べたように、本発明の電子カメラによれば、光学ファインダ及び画像表示部の一方をファインダとして選択するファインダ選択手段を採用したことにより、撮影者の希望に応じて、光学ファインダ又は画像表示部のいずれかを、被写体を確認等する際のファインダとして用いることができる。これにより、撮影の際の取り扱い性あるいは利便性が向上する。特に、電池及びバッテリ等の残量が少なくなった場合には、ファインダとして光学ファインダを選択することにより、電力の消費を抑えて撮影可能な枚数を増加させることができる。
また、ファインダ選択手段を、ミラー駆動手段及びシャッタ駆動手段により構成し、これらを一つの駆動源により連動させて駆動させるようにしたことから、構造の簡略化を達成しつつ、反射ミラーとシャッタとを、所定のタイミングで確実に駆動させることができる。
さらに、シャッタとして先羽根群及び後羽根群を採用していることから、露光動作を高速化及び安定化させることができる。
【図面の簡単な説明】
【図１】本発明に係る電子カメラにおいて、光学ファインダがファインダとして選択された状態における内部の状態を示す側面図である。
【図２】本発明に係る電子カメラにおいて、画像表示部がファインダとして選択された状態における内部の状態を示す側面図である。
【図３】本発明に係る電子カメラにおいて、レリーズ直後の内部の状態を示す側面図である。
【図４】本発明に係る電子カメラにおいて、反射ミラー及びシャッタの駆動手段の一部を示す正面図である。
【図５】本発明に係るシャッタ駆動手段の動作を説明する図であり、（ａ）はチャージセット前の状態、（ｂ）はチャージセット後の状態を示す動作図である。
【図６】本発明に係るシャッタ駆動手段の動作を説明する図であり、（ａ）はレリーズ直後の状態、（ｂ）は露光動作直前の状態を示す動作図である。
【図７】シャッタがチャージセットされる前の状態を示す正面図である。
【図８】シャッタがチャージセットされた状態を示す正面図である。
【図９】レリーズ直後のシャッタの状態を示す正面図である。
【図１０】露光動作直前のシャッタの状態を示す正面図である。
【図１１】本発明に係る電子カメラの動作を示すタイムチャートである。
【図１２】本発明に係る電子カメラの動作を示すタイムチャートである。
【図１３】本発明に係る電子カメラの制御動作を示すフローチャートである。
【符号の説明】
１０  撮像素子
２０（２１，２２）  シャッタ（先羽根群，後羽根群）
３０  光学ファインダ
４０  反射ミラー
５０  画像表示部
６０  駆動モータ
７３  第３歯車
７４  第４歯車
８１  ミラーアップカム（第１カム部材）
８２  チャージカム（第２カム部材）
９０  ミラーアップレバー（第１揺動レバー）
９１  第１端部（他端）
９２  第２端部（一端）
１０１ａ  開口部
１１０  チャージレバー（第２揺動レバー）
１１１  第２端部（他端）
１１２  第１端部（一端）
１２０  セットレバー
１２１  突起部（一部）
１２２ａ  第１係合部
１２２ｂ  第２係合部
１２３  規制部
１３０  第２先羽根駆動レバー
１３１  第１係合部
１３２  第２係合部
１４０  後羽根駆動レバー
１４１  第１係合部
１５０  第１先羽根駆動レバー
１５１  第１係合部
１５２  第２係合部
１６０  先羽根用電磁石
１７０  後羽根用電磁石
【図１】
0004605846.tif 000002
【図２】
0004605846.tif 000003
【図３】
0004605846.tif 000004
【図４】
0004605846.tif 000005
【図５】
0004605846.tif 000006
【図６】
0004605846.tif 000007
【図７】
0004605846.tif 000008
【図８】
0004605846.tif 000009
【図９】
0004605846.tif 000010
【図１０】
0004605846.tif 000011
【図１１】
0004605846.tif 000012
【図１２】
0004605846.tif 000013
【図１３】
0004605846.tif 000014